(57)【要約】【課題】用紙の使用面積を抑制しつつ、缶を確実に保持して持ち運ぶことができる集合運搬体を提供する。【解決手段】整列した複数本の缶Ｃの上面外縁を囲む天板１に、缶Ｃの上部がそれぞれ嵌め入れられる嵌入穴２が穿設され、嵌入穴２の周囲に、複数の保持舌片３がヒンジ部４を介して延設されると共に、ヒンジ部４の中間部から天板１への切込により係止突起５が形成されたものとする。保持舌片３がヒンジ部４を軸として嵌入穴２の下方外側に折り曲げられ、これに伴い、係止突起５が嵌入穴２の上方内側に突出した状態となる。そして、嵌入穴２に嵌め入れられた缶Ｃの上部外周のテーパー部に保持舌片３が折り曲げの反発により押し付けられ、その反発に伴い缶Ｃに対して生じた押上力により、缶Ｃの上端部外周のリップ部に係止突起５が係合する。【選択図】図１
2019034768.tif 000002
【特許請求の範囲】
【請求項１】
整列した複数本の缶の上面外縁を囲む天板(1)に、缶の上部がそれぞれ嵌め入れられる嵌入穴(2)が穿設され、前記嵌入穴(2)の周囲に、複数の保持舌片(3)がヒンジ部(4)を介して延設されると共に、前記ヒンジ部(4)の中間部から天板(1)への切込により係止突起(5)が形成され、
前記保持舌片(3)がヒンジ部(4)を軸として嵌入穴(2)の下方外側に折り曲げられ、これに伴い、前記係止突起(5)が嵌入穴(2)の上方内側に突出した状態となり、
前記嵌入穴(2)に嵌め入れられた缶の上部外周のテーパー部に前記保持舌片(3)が折り曲げの反発により押し付けられ、その反発に伴い缶に対して生じた押上力により、缶の上端部外周のリップ部に前記係止突起(5)が係合する缶用集合運搬体。
【請求項２】
前記天板(1)には、前記嵌入穴(2)の間の部分に２個の指入穴(6)が設けられていることを特徴とする請求項１に記載の缶用集合運搬体。
【請求項３】
前記天板(1)の外周辺に補強片(7)が連設され、前記嵌入穴(2)の間の部分で前記補強片(7)が前記天板(1)の裏面側へ折り曲げられ、前記天板(1)の裏面と保持舌片(3)の基部間に挟まれて、前記天板(1)と補強片(7)の重合状態が維持されることを特徴とする請求項１又は２に記載の缶用集合運搬体。
【発明の詳細な説明】
【技術分野】
【０００１】
この発明は、缶を複数本纏めて持ち運ぶための集合運搬体に関するものである。
【背景技術】
【０００２】
一般に、飲料入りの缶を複数本纏めて持ち運ぶための板紙製の集合運搬体として、図７に示すようなマルチパックと呼ばれるものが使用されている（下記特許文献１参照）。
【０００３】
この集合運搬体は、天板５１の両側に側板５２及び底板５３が順次連設されたものであり、一方の底板５３に差込片５４及び係合片５４ａが、他方の底板５３に差込穴５５及び係合穴５５ａがそれぞれ設けられ、側板５２の天板５１寄りの端縁に連設された折込片５６と天板５１のコーナー部とが抱持片５６ａで繋がれている。
【０００４】
両側の底板５３から側板５２の下部となる部分にかけては、先端が丸味を帯びた固定片５７が缶Ｃの底部に対応して切込により形成され、固定片５７の基部及び中間部には、幅方向に延びる折目線５７ａ，５７ｂがそれぞれ入れられている。
【０００５】
天板５１には、運搬用の指入穴を形成する押込片５８が切込により形成されると共に、開封時に切断して缶Ｃを取り出すため、鉤状の切目が断続するジッパ型の切目線５９が入れられている。
【０００６】
このような集合運搬体で整列した複数本の缶Ｃを包装する際には、缶Ｃの上面に天板５１を被せ、側板５２を下方へ折り曲げ、底板５３を内方向へ折り曲げ、両側の底板５３の係合片５４ａと係合穴５５ａとを係合させ、差込片５４を差込穴５５へ差し込んで、缶Ｃを包囲するスリーブ状に保形する。
【０００７】
これに伴って、折込片５６を折り込み、抱持片５６ａを缶Ｃの外周上部に沿わせ、固定片５７を折目線５７ａ並びに折目線５７ｂに沿ってＺ字状に折り曲げ、固定片５７の先端部を缶Ｃの底面の凹部周縁に係合させて、端面の開口部から缶Ｃを抜け止めする。
【０００８】
上記のような集合運搬体は、整列した複数本の缶Ｃを上部から下部まで包み込むので、缶Ｃの保持性及び保護性に優れているが、用紙の使用面積が大きく、廃棄する際にも嵩高くなるという問題がある。
【０００９】
一方、下記特許文献２には、図８に示すように、整列した複数本の缶Ｃの上部だけを保持するクリップ式の集合運搬体が記載されている。
【００１０】
この集合運搬体は、整列した複数本の缶Ｃの上面外縁を囲む下天板６１の一側に上天板６２が、他側に側板６３がそれぞれ連設され、下天板６１に、缶Ｃの上部がそれぞれ嵌め入れられる嵌入穴６４が穿設され、嵌入穴６４の周囲に、複数の係止片６５がヒンジ部６５ａを介して延設されたものとなっている。
【００１１】
このような集合運搬体で整列した複数本の缶Ｃを包装する際には、缶Ｃの上部を下天板６１の下方から上方へかけて嵌入穴６４に嵌め入れる。
【００１２】
これに伴い、係止片６５が缶Ｃの上部外周のテーパー部Ｃ１に押されて、嵌入穴６４の周囲から係止片６５がヒンジ部６５ａを軸として起き上がり、係止片６５の先端が缶Ｃの上端部外周のリップ部Ｃ２に当接して、缶Ｃの嵌入穴６４からの脱落が防止される。
【００１３】
その後、側板６３を上方へ折り曲げ、上天板６２を整列した複数本の缶Ｃの上面に被せるように折り曲げて、側板６３と上天板６２を繋ぐように係合させる。
【００１４】
このようなクリップ式の集合運搬体は、図７に示すような缶Ｃを包み込むスリーブ状の集合運搬体に比較して、用紙の使用面積が小さいため、包装コストを削減でき、廃棄物の発生量を抑制できるという利点がある。
【先行技術文献】
【特許文献】
【００１５】
【特許文献１】登録実用新案第３１７６３０９号公報
【特許文献２】米国特許第５４１５２７８号明細書
【発明の概要】
【発明が解決しようとする課題】
【００１６】
しかしながら、図８に示すようなクリップ式の集合運搬体では、缶Ｃの運搬に際し、係止片６５が撓みやすく、係止片６５の折曲方向が下向きに反転して係止片６５と缶Ｃのリップ部Ｃ２の係合が外れると、缶Ｃが脱落する恐れがある。
【００１７】
そこで、この発明は、用紙の使用面積を抑制しつつ、缶を確実に保持して持ち運ぶことができる集合運搬体を提供することを課題とする。
【課題を解決するための手段】
【００１８】
上記課題を解決するため、この発明に係る缶用集合運搬体は、整列した複数本の缶の上面外縁を囲む天板に、缶の上部がそれぞれ嵌め入れられる嵌入穴が穿設され、前記嵌入穴の周囲に、複数の保持舌片がヒンジ部を介して延設されると共に、前記ヒンジ部の中間部から天板への切込により係止突起が形成され、
前記保持舌片がヒンジ部を軸として嵌入穴の下方外側に折り曲げられ、これに伴い、前記係止突起が嵌入穴の上方内側に突出した状態となり、
前記嵌入穴に嵌め入れられた缶の上部外周のテーパー部に前記保持舌片が折り曲げの反発により押し付けられ、その反発に伴い缶に対して生じた押上力により、缶の上端部外周のリップ部に前記係止突起が係合するものとしたのである。
【００１９】
また、片手で吊り下げて持ち運べるようにするため、前記天板には、前記嵌入穴の間の部分に２個の指入穴が設けられているものとしたのである。
【００２０】
また、用紙の使用面積の増加や貼り合わせ等による加工コストの増大を招くことなく、必要な強度を確保するため、前記天板の外周辺に補強片が連設され、前記嵌入穴の間の部分で前記補強片が前記天板の裏面側へ折り曲げられ、前記天板の裏面と保持舌片の基部間に挟まれて、前記天板と補強片の重合状態が維持されるものとしたのである。
【発明の効果】
【００２１】
この発明に係る集合運搬体では、保持舌片と係止突起がシーソー状の関係となり、保持舌片が下方へかけて嵌入穴の外側へ傾いて缶の上部のテーパー部に沿い、これに伴い、係止突起の上部が嵌入穴の内側へ突き出して、缶の上端部外周のリップ部に係合するので、保持舌片及び係止突起の撓みや反転が堅固に阻止される。
【００２２】
また、缶の上部外周のテーパー部に接触する保持舌片を、従来のクリップ式の集合運搬体の係止片に比較して、ヒンジ部からの突出量が大きくなるように設定できることから、缶の揺動を抑制する効果が向上する。
【００２３】
このため、整列した複数本の缶を上部から下部まで包み込むことなく、缶を脱落しないように確実に保持して持ち運ぶことができ、用紙の使用面積を削減して、包装コストの圧縮を図れるほか、廃棄物の発生量を抑制できる。
【図面の簡単な説明】
【００２４】
【図１】この発明の実施形態に係る缶用集合運搬体の缶を保持した状態を示す斜視図
【図２】同上の缶用集合運搬体に缶を嵌め入れる過程を示す斜視図
【図３】同上の缶用集合運搬体の缶の嵌入部分の拡大斜視図
【図４】同上の缶用集合運搬体の缶の嵌入部分の拡大縦断側面図
【図５】同上の缶用集合運搬体のブランクを示す図
【図６】同上の缶用集合運搬体の補強片を折り曲げた状態を示す斜視図
【図７】特許文献１に記載の缶用集合運搬体による缶の包装状態を示す斜視図
【図８】特許文献２に記載の缶用集合運搬体による缶の保持状態を示す斜視図
【発明を実施するための形態】
【００２５】
以下、この発明の実施形態を添付図面に基づいて説明する。
【００２６】
この集合運搬体は、図１及び図２に示すように、３本ずつ２列に整列した６本の缶Ｃの上部だけを保持するクリップ式のものであり、耐水性の板紙を打ち抜いたブランク状態では、図５に示すような形状となっている。
【００２７】
このブランクでは、コーナー部が丸い長方形状の天板１に、６個の嵌入穴２が３個ずつ２列に並ぶように穿設されている。
【００２８】
嵌入穴２の周囲には、その全周を８分割した保持舌片３がヒンジ部４を介して嵌入穴２の中心方向へ延設され、ヒンジ部４の中間部から天板１への切込により小片の係止突起５が形成されている。
【００２９】
ヒンジ部４には、板紙の表面から押圧した押罫線が入れられているが、保持舌片３と係止突起５の基部の幅寸法の差が少ない場合には、押罫線を省略してもよい。
【００３０】
嵌入穴２の周囲は、保持舌片３の折り曲げに伴い、ヒンジ部４により形成されるものであり、円形に近い八角形状となっている。
【００３１】
また、天板１には、長さ方向及び幅方向に並んだ嵌入穴２の間の部分に、押込に伴い開口する２個の指入穴６が設けられている。
【００３２】
さらに、天板１の外周各辺には、嵌入穴２の間の部分に対応して突き出すように、補強片７が折目線７ａを介して連設されている。折目線７ａは、折曲抵抗を軽減するため、長い切目が断続するものとされている。
【００３３】
このような集合運搬体により、販売単位となる６本の缶を纏めて持ち運べるようにするには、包装機械の治具等を用い、まず、上記ブランクの状態から、図６に示すように、補強片７を折目線７ａに沿って天板１の裏面側へ折り曲げる。
【００３４】
次に、図２に示すように、天板１のそれぞれの嵌入穴２の周囲の保持舌片３を、ヒンジ部４を軸として嵌入穴２の下方外側へ折り曲げる。このとき、保持舌片３と係止突起５とは、ヒンジ部４を支点とするシーソー状の関係となっていることから、保持舌片３に連動して、係止突起５が嵌入穴２の上方内側へ突出した状態となる。
【００３５】
そして、図１、図３及び図４に示すように、缶Ｃの上部を嵌入穴２に嵌め入れると、缶Ｃの上部外周のテーパー部Ｃ１に保持舌片３がヒンジ部４での折り曲げの反発により押し付けられ、その反発に伴い缶Ｃに対して生じた押上力により、缶Ｃの上端部外周のリップ部Ｃ２に係止突起５が係合し、天板１に缶Ｃが固定される。
【００３６】
また、補強片７が天板１の裏面と保持舌片３の基部間に挟まれるので、天板１に補強片７を接着剤等で接着しなくても、天板１と補強片７の重合状態が維持され、天板１が嵌入穴２の間の部分で補強される。
【００３７】
上記のような集合運搬体では、天板１の嵌入穴２に缶Ｃの上部を嵌め入れた状態で、保持舌片３が下方へかけて嵌入穴２の外側へ傾いて缶Ｃの上部のテーパー部Ｃ１に沿い、これに伴い、係止突起５の上部が嵌入穴２の内側へ突き出して、缶Ｃの上端部外周のリップ部Ｃ２に係合するので、保持舌片３及び係止突起５の撓みや反転が堅固に阻止される。
【００３８】
また、缶Ｃの上部外周のテーパー部Ｃ１に接触する保持舌片３を、従来の図８に示すようなクリップ式の集合運搬体の係止片６５に比較して、ヒンジ部４からの突出量が大きくなるように設定できることから、缶Ｃの揺動を抑制する効果が向上する。
【００３９】
このため、整列した６本の缶Ｃを上部から下部まで包み込むことなく、押込に伴い開口した指入穴６に指を掛け、片手で吊り下げるようにして、缶Ｃを脱落しないように確実に保持した状態で持ち運ぶことができる。
【００４０】
そして、製造に必要な板紙の使用面積を削減して、包装コストの圧縮を図れるほか、使用後における廃棄物の発生量を抑制できる。
【００４１】
なお、上記実施形態では、天板１の裏面に補強片７を重ね合わせるものを例示したが、板紙の材質や保持する缶Ｃの重量によっては、補強片７を省略してもよい。
【００４２】
また、６本の缶Ｃを纏めて保持するものを例示したが、缶Ｃの重量や直径を考慮して、６本より多数本又は少数本の缶Ｃを纏めて保持するものとしてもよい。その場合、指入穴６は、持ち運び時にバランスがとれる位置に設ける必要がある。
【符号の説明】
【００４３】
１  天板
２  嵌入穴
３  保持舌片
４  ヒンジ部
５  係止突起
６  指入穴
７  補強片
７ａ  折目線
Ｃ  缶
Ｃ１  テーパー部
Ｃ２  リップ部
【図１】
2019034768.tif 000003
【図２】
2019034768.tif 000004
【図３】
2019034768.tif 000005
【図４】
2019034768.tif 000006
【図５】
2019034768.tif 000007
【図６】
2019034768.tif 000008
【図７】
2019034768.tif 000009
【図８】
2019034768.tif 000010